(57)【要約】      （修正有）【課題】可動翼の交換やメンテナンスを容易に行える木製可動ルーバを提供する。【解決手段】多数の可動翼４と、縦框１ａ，１ｂ間で各可動翼を水平軸回転自在に軸支する軸部５とを備えており、少なくともいずれかの縦框は、内周側部Ｐに間隔をあけて多数の軸受孔１０が設けてあるとともに、外周側が開放して内部に軸受孔と連通した凹部９を有するほぼコ字型をなしており、凹部には、縦框の長手方向に沿って伝達ラック６が配置してある。可動翼は、一方側端に軸部が差し込まれる被差込係止部１５を有するとともに、他方側端には他方の縦框に差し込む他方軸部１６を有しており、軸部は、軸棒５ｃを縦框の凹部側から軸受孔に挿通したとき、可動翼の被差込係止部に差し込まれる差込係止部５ａと、伝達ラックに噛合して軸棒と同軸回転する歯車５ｂとを有しており、伝達ラックは、凹部内を上下動して歯車の回転することで各可動翼の傾斜角度を同期調節する。【選択図】図１
2012102458.tif 000002
【特許請求の範囲】
【請求項１】
上下框と、左右の縦框と、縦框間に略平行に配置する多数の可動翼と、左右の縦框間で各可動翼を水平軸回転自在に軸支する軸部とを備えており、
左右の縦框の少なくともいずれかの縦框は、内周側に間隔をあけて多数の軸受孔が設けてあるとともに、外周側が開放して内部に軸受孔と連通した凹部を有するほぼコ字型をなしており、凹部には、縦框の長手方向に沿って伝達ラックが配置してあり、
可動翼は、一方側端に軸部が差し込まれる被差込係止部を有するとともに、他方側端には他方の縦框に差し込む他方軸部を有しており、
軸部は、軸棒を縦框の凹部側から軸受孔に挿通したとき、可動翼の被差込係止部に差し込まれる差込係止部と、伝達ラックに噛合して軸棒と同軸回転する歯車とを有しており、
伝達ラックは、凹部内を上下動して歯車を回転することで各可動翼の傾斜角度を同期調節し、
縦框の外周側部には、凹部の開放側を開放または閉塞する蓋を有していることを特徴とする可動ルーバ。
【請求項２】
上下框と、左右の縦框と、上下框間に略平行に配置する多数の可動翼と、上下框間で各可動翼を垂直軸回転自在に軸支する軸部とを備えており、
上下框の少なくともいずれかの框は、框内周側に間隔をあけて多数の軸受孔が設けてあるとともに、外周側が開放して内部に軸受孔と連通した凹部を有するほぼコ字型をなしており、凹部には、框の長手方向に沿って伝達ラックが配置してあり、
可動翼は、上下の一方端に軸部が差し込まれる被差込係止部を有するとともに、上下の他方端には他方の框に差し込む他方軸部を有しており、
軸部は、軸棒を框の凹部側から軸受孔に挿通したとき、可動翼の被差込係止部に差し込まれる差込係止部と、伝達ラックに噛合して同軸回転する歯車とを有しており、
伝達ラックは、凹部内を左右動して歯車を回転することで各可動翼の傾斜角度を同期調節し、
軸部を有する側の框の外周側部には、凹部の開放側を開放または閉塞する蓋を有していることを特徴とする可動ルーバ。
【請求項３】
伝達ラックを内部に有する框には、框の見付け面から出没して伝達ラックを歯車側に押す押圧部を有することを特徴とする請求項１又は２記載の可動ルーバ。
【発明の詳細な説明】
【技術分野】
【０００１】
本発明は、室内に差し込む日差しや照明による光線の照射を調整するルーバ機能を有する建具、その中でも特に天然木を用いた木製可動ルーバに関するものである。
【背景技術】
【０００２】
室内建具は近年、安価で大量生産が可能なアルミ製が主流となっていたが、温暖化による環境対策やストレスの増加等の各種社会環境の変化によって、学校等の公共施設で鉄筋建造物から木造建造物への建て替えが進んでいる。また、ユーザーの意識も前述の状況から変化しており、天然木を適用した木製建具に回帰する傾向にある。その中でも特に、採光や採風の機能を有するとともに、使用者の好みの状態に調節できる木製可動ルーバが注目を集めている。
【先行技術文献】
【特許文献】
【０００３】
特開２００７−２３７６０号公報
【発明の概要】
【発明が解決しようとする課題】
【０００４】
木製可動ルーバが構造的に有する問題点として、木製の可動翼が日よって変形すること、また、傷や破損などの外的な影響を受けやすいことから、一般的なアルミ製の可動ルーバに比べて可動翼のメンテナンスをこまめに行う必要があった。ところが、従来の木製可動ルーバにあっては、可動翼の可動ユニットを框内に内蔵する構造であるから、框の強度を保つために補強材や框間の接合具などが雑多に組み込まれて分解のしにくい構造となっており、可動翼の交換やメンテナンスを行うことが容易ではなく、専門的知識を有する業者などに頼るケースがほとんどであった。
本発明は、上記課題を鑑みてなされたものであり、可動翼の交換やメンテナンスを容易に行える木製可動ルーバを提供することにある。
【課題を解決するための手段】
【０００５】
本発明のうち請求項１記載の発明は、上下框と、左右の縦框と、縦框間に略平行に配置する多数の可動翼と、左右の縦框間で各可動翼を水平軸回転自在に軸支する軸部とを備えており、左右の縦框の少なくともいずれかの縦框は、内周側に間隔をあけて多数の軸受孔が設けてあるとともに、外周側が開放して内部に軸受孔と連通した凹部を有するほぼコ字型をなしており、凹部には、縦框の長手方向に沿って伝達ラックが配置してあり、可動翼は、一方側端に軸部が差し込まれる被差込係止部を有するとともに、他方側端には他方の縦框に差し込む他方軸部を有しており、軸部は、軸棒を縦框の凹部側から軸受孔に挿通したとき、可動翼の被差込係止部に差し込まれる差込係止部と、伝達ラックに噛合して軸棒と同軸回転する歯車とを有しており、伝達ラックは、凹部内を上下動して歯車の回転により各可動翼の傾斜角度を同期調節し、縦框の外周側部には、凹部の開放側を開放または閉塞する蓋を有していることを特徴とする。
【０００６】
本発明のうち請求項２記載の発明は、上下框と、左右の縦框と、上下框間に略平行に配置する多数の可動翼と、上下框間で各可動翼を垂直軸回転自在に軸支する軸部とを備えており、上下框の少なくともいずれかの框は、框内周側に間隔をあけて多数の軸受孔が設けてあるとともに、外周側が開放して内部に軸受孔と連通した凹部を有するほぼコ字型をなしており、凹部には、框の長手方向に沿って伝達ラックが配置してあり、可動翼は、上下の一方端に軸部が差し込まれる被差込係止部を有するとともに、上下の他方端には他方の框に差し込む他方軸部を有しており、軸部は、軸棒を框の凹部側から軸受孔に挿通したとき、可動翼の被差込係止部に差し込まれる差込係止部と、伝達ラックに噛合して同軸回転する歯車とを有しており、伝達ラックは、凹部内を左右動して歯車を回転することで各可動翼の傾斜角度を同期調節し、軸部を有する側の框の外周側部には、凹部の開放側を開放または閉塞する蓋を有していることを特徴とする。
【０００７】
本発明のうち請求項３記載の発明は、伝達ラックを内部に有する框には、框の見付け面から出没して伝達ラックを歯車側に押す押圧部材を有することを特徴とする。
【発明の効果】
【０００８】
本発明の請求項１記載の発明によれば、縦框の外周側部から蓋を外せば、各可動翼の可動手段である軸部やラック等が広く露出するので、縦框の開放側から容易に取り外せてメンテナンスや部品交換が簡単になる。さらに、縦枠外側から各可動翼の可動手段の構成部品の組み込みが行えるため、従来に比べて木製可動ルーバの組み立てが飛躍的に容易なものとなる。
【０００９】
本発明の請求項２記載の発明によれば、可動翼を上下框間に配置するタイプの木製可動
ルーバにおいても、框外周部側の蓋を外すことで簡単にメンテナンスや可動翼の交換が行えるようになる。
【００１０】
本発明の請求項３記載の発明によれば、框の見付け面または外側見込み面から押圧部が出没し、押圧部を押し込んだときにはラックをほぼ水平方向に押し込まれるので、軸部の歯車との噛み合いが強くなる。これにより、経年使用による可動翼の緩みが生じても上述の調整を行えばラックの上下動により確実に軸部が回転し、木製可動ルーバを安定的に長期使用することができる。
【図面の簡単な説明】
【００１１】
【図１】（ａ）は、本実施による木製可動ルーバの縦框のみを縦断面した正面図であり、（ｂ）は、Ａ−Ａ線横断面図である。
【図２】本実施による木製可動ルーバにおける可動翼の作動状態を説明する簡略化した斜視図である。
【図３】（ａ）〜（ｃ）は、本実施による木製可動ルーバの作動状態を示す側面から見た縦断面図である。
【図４】縦框の外周側から歯車を取り付ける手順と、取り外す手順を示す縦框のみを縦断面した正面図である。
【図５】縦框から蓋を取り外した状態を示す斜視図である。
【図６】押圧部材の出没の度合いによるラックと軸部の歯車との噛合状態の相違を説明する側面から見た縦断面図である。
【図７】本発明の木製可動ルーバの他の実施形態を示す正面図である。
【発明を実施するための形態】
【００１２】
以下、本実施による木製可動ルーバの実施の形態を図面に基づいて説明する。
木製可動ルーバは、図１（ａ）のように、木製の上框２と下框３と左右の縦框１ａ，１ｂとを框組みし、さらに、上下に等間隔に複数の木製の可動翼４が軸部５により水平軸回転可能に軸支してあり、図１（ｂ）のように、各軸部５の縦框（図中右側の框）１ａ内に突入する側の端部にはそれぞれに歯車５ｂを有し、縦框１ａの正面側見付け面に設けてある操作部８を上げ下げすることにより、図２のように各可動翼４が同期してそれぞれ水平軸回転するように形成してある。
【００１３】
上記のように各可動翼を可動させる具体的な構造について図１（ｂ）のように、まず縦框１ａは、外周側を開放するかたちで上下に連続する凹部９が設けてあり、この凹部９の内周側には、間隔をあけて縦框１ａの内周側面まで貫通する軸受孔１０が複数設けてある。また、凹部９には、凹部９内周側に沿ってコ字型をなす硬質樹脂性の補強部材１１が取り付けてあり、この補強部材１１についても縦框１ａの各軸受孔１０と一致する位置に補強軸受孔１２が設けてある。そして、補強部材１１のコ字の内周側の正面側には、上下方向に延びる伝達ラック６が固定されない状態で配置してある。また、可動翼４の軸部５は、軸棒５ｃの長手方向一端側が断面ほぼ矩形状をなす差込係止部５ａが設けてあり、可動翼４の側端面に差し込んだときに、可動翼４の被差込係止部１５と係止することで回転力を伝達できる構造となっている。さらに、軸部５の他端側には水平軸回転する歯車５ｂが設けてあり、軸部５を上記した軸受孔１０及び補強軸受孔１２に差し込んだときに、伝達ラック６と噛み合うようになっており、この伝達ラック６が凹部９内を上下動することで、各可動翼４の回転角度を同期調節するものとなっている。
【００１４】
また、上記した伝達ラック６の上下動については、縦框１ａの正面側に備える操作部８との連動により行われる。具体的には図３に示すように、操作部８は、縦長矩形状をなすスライド板８ａの正面側中間部にほぼ水平に突出する凸状のツマミ８ｂを有するものである（図１（ｂ）参照）。また、スライド板８ａの縦框１ａの凹部９と面する側には、上下に長い伝達ラック６が離脱不能に接着固定してあり、この伝達ラック６は、各軸部５に亘って上下に延びて配置してあり、それぞれの軸部５の歯車５ｂと噛み合っている（図１（ａ）参照）。これにより、例えば図３（ｂ）のように、操作部８のツマミ８ｂを図３（ａ）の中間位置に位置する状態から上側にスライドすれば、この操作部８のスライド板８ａと連動する伝達ラック６と噛合している各軸部５の歯車５ｂを時計回りに水平軸回転し、結果、全ての可動翼４が同期して水平軸回転する。
【００１５】
また、図４のように、縦框１ａの框外周側は開放しているが、蓋７により着脱自在に閉塞される。具体的には、縦框１の外周側部Ｑには、開放口１３を挟んだ両側にそれぞれ縦框１ａの長手方向に沿って上下に連続する段部１４が設けてあり、この両段部１４，１４に沿って蓋７を嵌合して縦框１ａの凹部９を塞ぐようになっている。そして、上記のように形成した本実施による木製可動ルーバにおいて、可動翼４を交換するときは、図５のように、まず、第１の手順として、縦框１ａの外周側部Ｑから蓋７を外し、縦框１ａの凹部９を開放する。次に、第２の手順として、縦框１ａの凹部９から軸受孔１０及び補強軸受孔１２に差し込まれた軸部５を抜き出し、交換やメンテナンスを目的とする可動翼４の軸支状態が解除されたことを確認したら開放口１３から取り外す。この手順を経ることにより、縦框１ａを取り外すことなく、縦框１ａの内周側部Ｐから個々の可動翼４を取り外せるようになる。また、可動翼４を取り付けるときは、可動翼４を他方の縦框１ａの軸受孔１０と補強軸受孔１２に差し込むとともに、図１（ｂ）をあわせて参照すれば、可動翼４の被差込係止部１５に軸部５の差込係止部５ａを差し込む側の縦框１ａの軸受孔１０を位置合わせし、そこに縦框１ａの外周側から軸部５を差し込むことにより、縦框１ａの内周側部Ｐから可動翼４を再び取り付けることができる。
尚、本実施では、蓋７と縦框１ａとの嵌合箇所に接着剤を塗ってあるが、この場合でも蓋７を取り外すときに、軽くカッター等で接着箇所をなぞれば簡単に外すことができる。
【００１６】
また、本実施形態の操作部は図６（ａ）のように、縦框１ａの背面側にボールスクリュー（押圧部材）１６がドライバー等の工具により出没自在に取り付けてある。このボールスクリュー１６の先端は、図６（ｂ）のように、伝達ラック６に到達しており、ボールスクリュー１６を工具１７などで回して縦框１ａ内にねじ込んだときに伝達ラック６を押圧し、ここでボールスクリュー１６に押された伝達ラック６と各軸部５の歯車５ｂとの噛み合いが強くなることで、各可動翼４の回転時の負荷が大きくなる。このことから、可動翼４が操作部８（図３（ａ）〜（ｃ）参照）における調節により回転を止めた位置で確実に止めることができるようになる。尚、ボールスクリュー１６を設ける位置については、木製可動ルーバの外観意匠性を考慮し、室外側に設けることが望ましいが、室内側に設けた場合には調整が容易となるため、特に限定するものではない。
【００１７】
本実施による木製可動ルーバは、可動翼４や操作部８が縦框１ａの一方側と他方側の見付け面から突出しないように形成してある。これにより、引違戸や、戸袋に障子を収める開口部に適用することができ、従来、開き戸や嵌め殺しタイプに限定されていた木製可動ルーバを様々な開口部に展開できる（図３（ａ）参照）。
【００１８】
本発明の木製可動ルーバは、上記実施形態では左右の縦框間に可動翼を軸支するものについて挙げたが、図７のように、上下框２２，２３間に可動翼２４を軸支することもできる。この場合、上記した可動翼２４を左右の縦框２１ａ，２１ｂ間で軸支するタイプの木製可動ルーバと同一の構成をなす部分については説明を省略するが、本実施のものは上框２２に設けてある操作部２８を左右にスライド操作することにより、下框２３の凹部２９内に設けてある伝達ラック２６が操作部２８と連動して左右にスライドし、これに伴い伝達ラック２６が軸部２５を回転することで、各可動翼２４が同期して軸回転することになる。尚、本実施のものでは、各可動翼２４の可動手段となる伝達ラックや軸部２５と蓋２７を上框２２に設けているが、木製可動ルーバの設置箇所に対応して下框２３に設けてもよく、さらに、図示は省略するが、各可動翼２４の操作部についても上下框２２，２３のいずれにあってもよい。
【００１９】
また、蓋７と縦框１ａとの着脱については、上記実施形態のように縦框１ｂの段部に嵌合させる他、縦框１ａの段部１４の設けてある箇所にスライド溝を形成し、そこに蓋７，２７をスライドして取り付けるものでもよく、特に限定するものではない。また、左右の縦框１ａ，１ｂおよび上下框２，３は、凹部９内に可動翼４を軸回転するための伝達ラック６や軸部５の歯車５ｂなどを格納できる最低限のスペース、および各可動翼４の重量に耐え得る耐久性を有していれば、材質については特に限定するものではない。またツマミ８ｂの形状や大きさについては、本実施形態で示した方形以外に使用者が指で掴みやすいものであれば、例えば円形のものや多角形のものでもよい。
【符号の説明】
【００２０】
１ａ，１ｂ，２１ａ，２１ｂ  縦框
２，２２  上框
３，２３  下框
４，２４  可動翼
５，２５  軸部
５ａ  差込係止部
５ｂ  歯車
５ｃ  軸棒
６，２６  伝達ラック
７，２７  蓋
９，２９  凹部
１０  軸受孔
１５  被差込係止部
１６  他方軸部
Ｐ  框の内周側部
Ｑ  框の外周側部
【図１】
2012102458.tif 000003
【図２】
2012102458.tif 000004
【図３】
2012102458.tif 000005
【図４】
2012102458.tif 000006
【図５】
2012102458.tif 000007
【図６】
2012102458.tif 000008
【図７】
2012102458.tif 000009